(57)【特許請求の範囲】
【請求項１】
略水平方向に回転軸を有する回転ドラムと、この回転ドラムを外包した外槽と、前記回転ドラムを回転させる駆動モータと、前記外槽を主体とする揺動体を揺動可能に収容したボデーと、前記外槽の底部に連結した排水ホースと、前記外槽内の洗濯水を強制排水する排水ポンプと、前記排水ホースの接続部と前記排水ポンプの接続部が略直行しかつ前記排水ポンプの接続部と略同心上に着脱自在に異物ストッパーを内部に有する略Ｔ字状のジョイントとを備え、前記異物ストッパーの先端側には前記略Ｔ字状のジョイントの内径より径小の円盤部を設け、前記異物ストッパーの着脱部と前記円盤部とはその略中央部より放射状に延びた複数本のリブで連結したドラム式洗濯機。
【請求項２】
接続体の略中央部より放射状に延びた複数本のすべてのリブが排水ホースの接続方向と角度を有する請求項１記載のドラム式洗濯機。
【請求項３】
異物ストッパーの先端側に設けた円盤部は、その中央側を外周側より排水の流れの下流側に凸とした請求項１または２に記載のドラム式洗濯機。
【請求項４】
略Ｔ字状のジョイントの内面側には、異物ストッパーの先端側に設けた円盤部の下流側に前記円盤部の外径より小となる内径の穴を有する略環状のリブを設けた請求項１〜３のいずれか１項に記載のドラム式洗濯機。
【請求項５】
略環状のリブの内径先端部を外周側より排水の流れの上流側に凸とした請求項４記載のドラム式洗濯機。
【発明の詳細な説明】
【０００１】
【発明の属する技術分野】
本発明は、略水平方向の回転軸を中心に回転自在に配設したドラム内で洗濯物を洗濯、すすぎ、脱水するドラム式洗濯機に関するものである。
【０００２】
【従来の技術】
従来、この種のドラム式洗濯機は図８に示すように構成していた。以下、その構成について説明する。
【０００３】
図８に示すように、回転ドラム１は、外周部に多数の通水孔２を全面に設け、外槽３内に回転自在に配設している。回転ドラム１の回転中心に回転軸４の一端を略水平方向に固定し、回転軸４の他端に従動プーリー５を固定している。第１のモータ（駆動モータ）６は、回転ドラム１を第１の回転数Ｎ１（たとえば、５３ｒｐｍ）で回転させて、洗濯またはすすぎをするものであり、第２のモータ（駆動モータ）７は、回転ドラム１を第２の回転数Ｎ２（たとえば、１０００ｒｐｍ）で回転させて脱水する。
【０００４】
これら第１のモータ６および第２のモータ７は、それぞれベルト８、９を介して従動プーリー５に連結している。従動プーリー５は、２種の減速比を有しており、第１のモータ６をベルト８を介して減速比が大きい従動プーリー５ａと連結し、第２のモータ７をベルト９を介して減速比が小さい従動プーリー５ｂと連結している。
【０００５】
外槽３は、ボデー１０よりばね体１１で揺動可能に吊り下げ、防振ダンパー１２により脱水起動時の振動が低減され、定常脱水時の振動がボデー１０に伝達されにくいように防振支持するとともに、脱水時の振動を低減する重り１３を設けている。ボデー前面開口部に蓋１４を開閉自在に設けている。
【０００６】
外槽３の底部側にヒータ１５を設けて外槽３内の洗濯水を加熱し、さらに排水用の排水ホース１６の一端を接続し、排水ホース１６の他端を、内部に着脱自在に異物ストッパー１７を有する略Ｔ字状のジョイント１８に接続し、略Ｔ字状のジョイント１８の他端を排水ポンプ１９と接続し、外槽３内の洗濯水を異物ストッパー１７を介して排水するようにしている。
【０００７】
給水弁２０は外槽３内に水を給水するものである。制御装置２１は、第１のモータ６、第２のモータ７、ヒータ１６、排水ポンプ１９、給水弁２０などの動作を制御し、洗濯、すすぎ、脱水などの一連の行程を逐次制御する。
【０００８】
略Ｔ字状のジョイント１８は、図９に示すように、排水ホース１６が接続される排水ホース接続部１８ａと、排水ポンプ１９につながる排水ポンプ用ホース２２が接続される排水ポンプ用ホース接続部１８ｂは略直行している。また、異物ストッパー１７の着脱部１７ａは、略Ｔ字状のジョイント１８のジョイント着脱部１８ｃに回転着脱自在に、排水ポンプ用ホース接続部１８ｂと略同心上に設けている。
【０００９】
異物ストッパー１７の先端側には、略Ｔ字状のジョイント１８の内径より径小の円盤部１７ｂを設けており、円盤部１７ｂには水抜き用の穴１７ｃを設けている。異物ストッパー１７の着脱部１７ａと円盤部１７ｂとは、複数個の細い略円筒状のボス１７ｄで連結されている。また、異物ストッパー１７の着脱部１７ａと略Ｔ字状のジョイント１８の平坦部１８ｄ間には、シールパッキン２３を挟着している。
【００１０】
上記構成において動作を説明すると、蓋１４を開いて回転ドラム１内に洗濯物を投入し、電源スイッチ（図示せず）をオンした後、制御装置２１に設けたスタートスイッチ（図示せず）を操作して運転を開始すると、給水弁２０が動作して給水および洗剤投入を行い、水位検知手段（図示せず）により所定の水位を検知すると給水を停止し、第１の駆動モータ６を駆動する。洗濯行程では、洗濯物に水が含まれるため補給水しながら、回転ドラム１は第１の駆動モータ６によって第１の回転数Ｎ１で回転駆動され、回転ドラム１内の洗濯物は持ち上げられて水面上に落下される。
【００１１】
このとき、ヒータ１５に通電して外槽３内の洗濯水をほぼ一定の温度に制御しながら加熱する。洗濯行程が終了すると、排水ポンプ１９が動作して外槽３内の洗濯水を排水する。このとき、洗濯水は矢印ａのように略Ｔ字状のジョイント１８内に流れ込み、矢印ｂのように複数個の細い略円筒状のボス１７ｄの間を抜け、水抜き用の穴１７ｃから流れるものと、矢印ｃのように略Ｔ字状のジョイント１８の内壁と円盤部１７ｂの外周との間を流れるものとに別れる。その後、それらの流れは一つになり、矢印ｄのように排水ポンプ１９に流れ込む。すすぎ行程においても洗濯行程と同様の動作を行う。
【００１２】
【発明が解決しようとする課題】
このような従来の構成では、異物ストッパー１７は、先端側に略Ｔ字状のジョイント１８の内径より径小で、水抜き用の穴１７ｃを設けている円盤部１７ｂを有し、異物ストッパー１７の着脱部１７ａと円盤部１７ｂとは、複数個の細い略円筒状のボス１７ｄで連結されているものであるため、排水時、洗濯水に爪楊枝や釘などの異物が混入していた場合、水抜き用の穴１７ｃや略Ｔ字状のジョイント１８の内壁と円盤部１７ｂの外周との隙間から排水ポンプ１９内に流れ込んでしまうという問題を有していた。
【００１３】
また、洗濯水にリントや長短の毛髪などが混入していた場合は、水抜き用の穴１７ｃ同士間や複数個の細い略円筒状のボス１７ｄにリントや長短の毛髪などが絡み付き、そのリントや長短の毛髪などが徐々に成長していき、排水ポンプ１９に絡み付いてしまったりして、排水ポンプ１９がロックしてしまい、排水をしなくなるといった問題を有していた。
【００１４】
本発明は上記従来の課題を解決するもので、排水ポンプをロックさせる爪楊枝や釘などの異物は排水ポンプへ流れ込むのを防ぎ、リントや長短の毛髪などは異物ストッパーに絡み付くのを防ぐことにより、排水ポンプのロックをなくし、排水をしなくなるのを防止することを目的としている。
【００１５】
【課題を解決するための手段】
本発明は上記目的を達成するために、外槽の底部に排水ホースを連結し、外槽内の洗濯水を排水ポンプにより強制排水し、排水ホースの接続部と排水ポンプの接続部が略直行し、かつ排水ポンプの接続部と略同心上に着脱自在に異物ストッパーを内部に有する略Ｔ字状のジョイントを設ける。異物ストッパーの先端側には略Ｔ字状のジョイントの内径より径小の円盤部を設け、異物ストッパーの着脱部と円盤部とはその略中央部より放射状に延びた複数本のリブで連結したものである。
【００１６】
これにより、排水ポンプをロックさせる爪楊枝や釘などの異物が排水ポンプへ流れ込むのを防ぎ、リントや長短の毛髪などは異物ストッパーに絡み付くのを防ぐことができ、排水ポンプのロックをなくし、排水をしなくなるのを防止することができる。
【００１７】
【発明の実施の形態】
本発明の請求項１に記載の発明は、略水平方向に回転軸を有する回転ドラムと、この回転ドラムを外包した外槽と、前記回転ドラムを回転させる駆動モータと、前記外槽を主体とする揺動体を揺動可能に収容したボデーと、前記外槽の底部に連結した排水ホースと、前記外槽内の洗濯水を強制排水する排水ポンプと、前記排水ホースの接続部と前記排水ポンプの接続部が略直行しかつ前記排水ポンプの接続部と略同心上に着脱自在に異物ストッパーを内部に有する略Ｔ字状のジョイントとを備え、前記異物ストッパーの先端側には前記略Ｔ字状のジョイントの内径より径小の円盤部を設け、前記異物ストッパーの着脱部と前記円盤部とはその略中央部より放射状に延びた複数本のリブで連結したものであり、排水ポンプをロックさせる爪楊枝や釘などの異物が排水ポンプへ流れ込むのを防ぎ、リントや長短の毛髪などは、放射状に延びた複数本のリブに引っかかった場合でも、放射状のリブによる乱流により、長い毛髪をリブから浮かすことができて、流し出すことができ、異物ストッパーに絡み付くのを防ぎ、排水ポンプのロックをなくすことにより、排水をしなくなるのを防止することができる。
【００１８】
請求項２に記載の発明は、上記請求項１に記載の発明において、接続体の略中央部より放射状に延びた複数本のすべてのリブが排水ホースの接続方向と角度を有するものであり、リブの左右に異なる乱流が発生し、リブの左右で排水の流れが異なる。したがって、長い毛髪が流れ込み、リブに左右均等の長さで引っかかった場合でも、乱流によって長い毛髪をリブから浮かして流し出すことができ、リントや長短の毛髪などが異物ストッパーに絡み付くのをさらに防ぎ、排水ポンプのロックをなくすことにより、排水をしなくなるのを防止することができる。
【００１９】
請求項３に記載の発明は、上記請求項１または２に記載の発明において、異物ストッパーの先端側に設けた円盤部は、その中央側を外周側より排水の流れの下流側に凸としたものであり、排水ポンプをロックさせる爪楊枝や釘などの異物の捕集能力を向上させることができ、異物が排水ポンプへ流れ込むのをさらに防ぎ、排水ポンプのロックをなくすことにより、排水をしなくなるのを防止することができる。
【００２０】
請求項４に記載の発明は、上記請求項１〜３に記載の発明において、略Ｔ字状のジョイントの内面側には、異物ストッパーの先端側に設けた円盤部の下流側に前記円盤部の外径より小となる内径の穴を有する略環状のリブを設けたものであり、水の流れは、略Ｔ字状のジョイントの内面と円盤部との隙間を通り、円盤部と略環状のリブの間を抜けて流れるため、排水ポンプをロックさせる爪楊枝や釘などの異物の捕集能力をさらに向上させることができ、異物が排水ポンプへ流れ込むのをさらに防ぎ、排水ポンプのロックをなくすことにより、排水をしなくなるのを防止することができる。
【００２１】
請求項５に記載の発明は、上記請求項４に記載の発明において、略環状のリブの内径先端部を外周側より排水の流れの上流側に凸としたものであり、爪楊枝や釘などの大きい異物は、略環状のリブでできた凹部に引っかかることとなるため、排水ポンプをロックさせる爪楊枝や釘などの異物の捕集能力をさらに向上させることができ、異物が排水ポンプへ流れ込むのをさらに防ぎ、排水ポンプのロックをなくすことにより、排水をしなくなるのを防止することができる。
【００２２】
【実施例】
以下、本発明の実施例について、図面を参照しながら説明する。なお、従来例と同じ構成のものは同一符号を付して説明を省略する。
【００２３】
（実施例１）
図１および図２に示すように、略Ｔ字状のジョイント２４は、外槽３の底部と連結した排水ホース１６が接続される排水ホース接続部２４ａと、排水ポンプ１９につながる排水ポンプ用ホース２２が接続される排水ポンプ用ホース接続部２４ｂとを略直行させている。また、異物ストッパー２５の着脱部２５ａは、略Ｔ字状のジョイント２４のジョイント着脱部２４ｃに回転着脱自在に、排水ポンプ用ホース接続部２４ｂと略同心上に設けている。
【００２４】
異物ストッパー２５の排水ポンプ用ホース接続部２４ｂ側には、排水ポンプ用ホース接続部２４ｂの内径より径小の円盤部２５ｂを設けている。また、異物ストッパー２５の着脱部２５ａと円盤部２５ｂとは、１本の円筒体（接続体）２５ｅで連結されている。他の構成は従来例と同じである。
【００２５】
上記構成において動作を説明すると、排水ポンプ１９が動作して外槽３内の洗濯水を排水すると、排水された洗濯水は矢印ｅのように略Ｔ字状のジョイント２４の排水ホース接続部２４ａ内に流れ込み、矢印ｆのように１本の円筒体２５ｅを回り込み、略Ｔ字状のジョイント２４の内壁と円盤部２５ｂの外周との間を流れ出る。その後、矢印ｇのように排水ポンプ用ホース２２を通り、排水ポンプ１９に流れ込む。
【００２６】
このような構成にすると、円盤部２５ｂには、水抜き穴などの穴形状がないため、排水された洗濯水に爪楊枝や釘などの異物が混入していた場合でも、穴を異物がすり抜けていくことはなく、異物により排水ポンプ１９がロックしてしまうといった問題を防止することができる。また、洗濯水にリントや長短の毛髪などが混入していた場合でも、リントや長短の毛髪などが異物ストッパー２５に絡み付き、そのリントや長短の毛髪などが徐々に成長していき、排水ポンプ１９に絡み付き、排水ポンプ１９がロックしてしまい、排水をしなくなるといった問題も防止することができる。
【００２７】
なお、本実施例では、異物ストッパー２５の着脱部２５ａと円盤部２５ｂの連結に円筒体２５ｅを用いているが、円筒体でなくても、単数個の接続体であれば、同等の効果を得ることができる。
【００２８】
（実施例２）
図３に示すように、異物ストッパー２６は、排水ポンプ用ホース接続部２４ｂ側には、排水ポンプ用ホース接続部２４ｂの内径より径小の円盤部２６ｂを設けている。また、異物ストッパー２６の着脱部２６ａと円盤部２６ｂとは、その略中央部より放射状に延びた複数本のリブ（接続体）２６ｆで連結している。他の構成は上記実施例１と同じである。
【００２９】
上記構成において動作を説明すると、排水ポンプ１９が動作して外槽３内の洗濯水を排水すると、排水された洗濯水は矢印ｅのように略Ｔ字状のジョイント２４の排水ホース接続部２４ａ内に流れ込み、矢印ｈのように略Ｔ字状のジョイント２４の内壁と円盤部２６ｂの外周との間を流れ出るものと、矢印ｉのように放射状に延びた複数本のリブ２６ｆ間で乱流を起こすものとに別れる。その後、矢印ｇのように排水ポンプ用ホース２２を通り、排水ポンプ１９に流れ込む。
【００３０】
上記実施例１の構成では、長い毛髪が洗濯水とともに排水され、１本の円筒体２５ｅに長い毛髪が引っかかった場合、その長い毛髪は異物ストッパー２５に絡み付いてしまう可能性があった。
【００３１】
本実施例では、異物ストッパー２６の着脱部２６ａと円盤部２６ｂとを、その略中央部より放射状に延びた複数本のリブ２６ｆで連結しているので、長い毛髪が流れ込み、放射状に延びた複数本のリブ２６ｆに引っかかった場合でも、矢印ｉの乱流により、長い毛髪を放射状に延びた複数本のリブ２６ｆから浮かすことができ、流し出すことができる。
【００３２】
これにより、洗濯水にリントや長短の毛髪などが混入していた場合でも、リントや長短の毛髪などが異物ストッパー２６に絡み付き、そのリントや長短の毛髪などが徐々に成長していき、排水ポンプ１９に絡み付き、排水ポンプ１９がロックしてしまい、排水をしなくなるといった問題も防止することができる。
【００３３】
なお、本実施例では、放射状リブの数は３本であるが、そのリブの本数は略中央部で隙間なく接続されていれば、３本以下でも、以上でも同等の効果を得ることができる。
【００３４】
（実施例３）
図４に示すように、接続体の略中央部より放射状に延びた複数本のリブ２６ｆのすべてが、排水ホース接続部２４ａの中心線方向と角度を有している。例えば、排水ホース接続部２４ａに対応するリブ２６ｇは排水ホース接続部２４ａの中心線方向と角度αを有している。他の構成は上記実施例２と同じである。
【００３５】
上記実施例２の構成では、長い毛髪が洗濯水とともに排水され、接続体の略中央部より放射状に延びた複数本のリブ２６ｆのうち１本が、排水ホース接続部２４ａの中心線方向と平行である場合、そこに長い毛髪が左右均等の長さで引っかかると、そのリブ２６ｆの左右では排水の流れは左右均等であるため、その長い毛髪は流れにくい可能性があった。
【００３６】
本実施例では、接続体の略中央部より放射状に延びた複数本のすべてのリブ２６ｆが排水ホース接続部２４ａの中心線方向と角度を有しているので、矢印ｊの流れは強い乱流になり、矢印ｉの流れは弱い乱流になるため、リブ２６ｇの左右で排水の流れは異なる。したがって、長い毛髪が流れ込み、リブ２６ｇに左右均等の長さで引っかかった場合でも、強い乱流矢印ｊにより長い毛髪をリブ２６ｇから浮かし、矢印ｉの流れのほうに流し出すことができる。
【００３７】
これにより、洗濯水にリントや長短の毛髪などが混入し、複数本のリブ２６ｆのうち１本に左右均等の長さで引っかかった場合でも、その長い毛髪を流し出すことができるため、リントや長短の毛髪などが異物ストッパー２６に絡み付き、そのリントや長短の毛髪などが徐々に成長していき、排水ポンプ１９に絡み付き、排水ポンプ１９がロックしてしまい、排水をしなくなるといった問題も防止することができる。
【００３８】
なお、本実施例では、放射状リブ２６ｆの数は３本であるが、３本以下でも、以上でも同等の効果を得ることができる。
【００３９】
（実施例４）
図５に示すように、異物ストッパー２７は、排水ポンプ用ホース接続部２４ｂ側に設けた円盤部２７ｂの外周部には、その外周縁に添って、着脱部２７ａ方向に凸となるように異物ストッパー円筒リブ２７ｈを設けている。他の構成は上記実施例１〜３と同じである。
【００４０】
上記実施例３の構成では、排水された洗濯水に爪楊枝や釘などの異物が混入していた場合、異物が円盤部２６ｂに当たってもその先端が滑ってしまい、その異物を捕獲できない可能性があった。
【００４１】
本実施例では、円盤部２７ｂの外周部に外周縁に添って、着脱部２７ａ方向に凸となるように異物ストッパー円筒リブ２７ｈを設けているので、矢印ｍの流れは円盤部２７ｂと異物ストッパー円筒リブ２７ｈでできた異物ストッパー凹部２７ｉ内で乱流になる。
【００４２】
このとき、毛髪やリントなどの軽いものは流されていまい、爪楊枝や釘などの大きい異物２８は、図に示すように、異物ストッパー凹部２７ｉに引っかかることとなる。したがって、爪楊枝や釘などの異物の捕獲能力を向上させることができ、異物により排水ポンプ１９がロックしてしまうといった問題を防止することができる。
【００４３】
なお、本実施例では、円盤部２７ｂの外周部に着脱部２７ａ方向に凸となるように異物ストッパー円筒リブ２７ｈを設けたが、円盤部２７ｂの形状を、中央部が排水ポンプ用ホース接続部２４ｂ方向に凸となる円錐形状にしても同等の効果が得られることはいうまでもない。
【００４４】
（実施例５）
図６に示すように、略Ｔ字状のジョイント２９は、排水ポンプ用ホース接続部２９ｂの内面側に、異物ストッパー３０の先端側に設けた円盤部３０ｂの下流側に、円盤部３０ｂの外径より小となる内径の穴２９ｅを有する略環状のリブ２９ｆを設けている。他の構成は上記実施例１〜４と同じである。
【００４５】
上記実施例１〜４の構成では、排水された洗濯水に爪楊枝や釘などの異物が混入していた場合、異物が異物ストッパーの円盤部と排水ポンプ用ホース接続部の内面との隙間を流れてしまう可能性があった。
【００４６】
本実施例では、排水ポンプ用ホース接続部２９ｂの内面側に、円盤部３０ｂの外径より小となる内径の穴２９ｅを有する略環状のリブ２９ｆを設けているので、矢印ｎの流れは円盤部３０ｂと排水ポンプ用ホース接続部２９ｂの内面との隙間を通り、円盤部３０ｂと略環状のリブ２９ｆの間を抜け、矢印ｇのように排水ポンプ１９に流れる。
【００４７】
このとき、毛髪やリントなどは流されていまい、爪楊枝や釘などの大きい異物２８は、図に示すように、略環状のリブ２９ｆに引っかかることとなる。したがって、爪楊枝や釘などの異物の捕獲能力を向上させることができ、異物により排水ポンプ１９がロックしてしまうといった問題を防止することができる。
【００４８】
（実施例６）
図７に示すように、略Ｔ字状のジョイント３１は、略環状のリブ３１ｆの穴３１ｅに添って、ジョイント着脱部３１ｃ方向に凸となるようにジョイント円筒リブ３１ｇを設けている。他の構成は上記実施例５と同じである。
【００４９】
上記実施例５の構成では、排水された洗濯水に爪楊枝や釘などの異物が混入していた場合、異物が略環状のリブ２９ｆに当たってもその先端が滑ってしまい、その異物を捕獲できない可能性があった。
【００５０】
本実施例では、略環状のリブ３１ｆの穴３１ｅに添って、ジョイント着脱部３１ｃ方向に凸となるようにジョイント円筒リブ３１ｇを設けているので、矢印ｐの流れは略環状のリブ３１ｆとジョイント円筒リブ３１ｇでできたジョイント凹部３１ｈ内で乱流になる。
【００５１】
このとき、毛髪やリントなどの軽いものは流されていまい、爪楊枝や釘などの大きい異物２８は、図に示すように、ジョイント凹部３１ｈに引っかかることとなる。したがって、爪楊枝や釘などの異物の捕獲能力をさらに向上させることができ、異物により排水ポンプがロックしてしまうといった問題を防止することができる。
【００５２】
なお、本実施例では、略環状のリブ３１ｆの穴３１ｅに添って、ジョイント着脱部３１ｃ方向に凸となるようにジョイント円筒リブ３１ｇを設けたが、略環状のリブ３１ｆの形状を、ジョイント着脱部３１ｃ方向に凸となる円錐形状にしても同等の効果が得られることはいうまでもない。
【００５３】
【発明の効果】
以上のように本発明の請求項１に記載の発明によれば、略水平方向に回転軸を有する回転ドラムと、この回転ドラムを外包した外槽と、前記回転ドラムを回転させる駆動モータと、前記外槽を主体とする揺動体を揺動可能に収容したボデーと、前記外槽の底部に連結した排水ホースと、前記外槽内の洗濯水を強制排水する排水ポンプと、前記排水ホースの接続部と前記排水ポンプの接続部が略直行しかつ前記排水ポンプの接続部と略同心上に着脱自在に異物ストッパーを内部に有する略Ｔ字状のジョイントとを備え、前記異物ストッパーの先端側には前記略Ｔ字状のジョイントの内径より径小の円盤部を設け、前記異物ストッパーの着脱部と前記円盤部とはその略中央部より放射状に延びた複数本のリブで連結したから、排水ポンプをロックさせる爪楊枝や釘などの異物は排水ポンプへ流れ込むのを防ぎ、リントや長短の毛髪などは、放射状に延びた複数本のリブに引っかかった場合でも、放射状のリブによる乱流により、長い毛髪をリブから浮かすことができて、流し出すことができ、異物ストッパーに絡み付くのを防ぎ、排水ポンプのロックをなくすことにより、排水をしなくなるのを防止することができる。
【００５４】
また、請求項２に記載の発明によれば、接続体の略中央部より放射状に延びた複数本のすべてのリブが排水ホースの接続方向と角度を有するから、リブの左右に異なる乱流が発生し、乱流によって長い毛髪をリブから浮かして流し出すことができ、リントや長短の毛髪などが異物ストッパーに絡み付くのをさらに防ぎ、排水ポンプのロックをなくすことにより、排水をしなくなるのを防止することができる。
【００５５】
また、請求項３に記載の発明によれば、異物ストッパーの先端側に設けた円盤部は、その中央側を外周側より排水の流れの下流側に凸としたから、排水ポンプをロックさせる爪楊枝や釘などの異物の捕集能力を向上させることができ、異物が排水ポンプへ流れ込むのをさらに防ぎ、排水ポンプのロックをなくすことにより、排水をしなくなるのを防止することができる。
【００５６】
また、請求項４に記載の発明によれば、略Ｔ字状のジョイントの内面側には、異物ストッパーの先端側に設けた円盤部の下流側に前記円盤部の外径より小となる内径の穴を有する略環状のリブを設けたから、水の流れは、略Ｔ字状のジョイントの内面と円盤部との隙間を通り、円盤部と略環状のリブの間を抜けて流れるため、排水ポンプをロックさせる爪楊枝や釘などの異物の捕集能力をさらに向上させることができ、異物が排水ポンプへ流れ込むのをさらに防ぎ、排水ポンプのロックをなくすことにより、排水をしなくなるのを防止することができる。
【００５７】
また、請求項５に記載の発明によれば、略環状のリブの内径先端部を外周側より排水の流れの上流側に凸としたから、爪楊枝や釘などの大きい異物は、略環状のリブでできた凹部に引っかかることとなるため、排水ポンプをロックさせる爪楊枝や釘などの異物の捕集能力をさらに向上させることができ、異物が排水ポンプへ流れ込むのをさらに防ぎ、排水ポンプのロックをなくすことにより、排水をしなくなるのを防止することができる。
【図面の簡単な説明】
【図１】  （ａ）本発明の第１の実施例のドラム式洗濯機の一部切欠した要部断面図
（ｂ）同ドラム式洗濯機の一部切欠した要部側断面図
【図２】  同ドラム式洗濯機の断面図
【図３】  （ａ）本発明の第２の実施例のドラム式洗濯機の一部切欠した要部断面図
（ｂ）同ドラム式洗濯機の一部切欠した要部側断面図
【図４】  本発明の第３の実施例のドラム式洗濯機の一部切欠した要部側断面図
【図５】  本発明の第４の実施例のドラム式洗濯機の一部切欠した要部断面図
【図６】  本発明の第５の実施例のドラム式洗濯機の一部切欠した要部断面図
【図７】  本発明の第６の実施例のドラム式洗濯機の一部切欠した要部断面図
【図８】  従来のドラム式洗濯機の断面図
【図９】  同ドラム式洗濯機の一部切欠した要部断面図
【符号の説明】
１  回転ドラム
３  外槽
６  第１のモータ（駆動モータ）
７  第２のモータ（駆動モータ）
１０  ボデー
１６  排水ホース
１９  排水ポンプ
２４  略Ｔ字状のジョイント
２５  異物ストッパー
２５ａ  着脱部
２５ｂ  円盤部
２５ｅ  円筒体（接続体）
【図１】
0003893728.tif 000002
【図２】
0003893728.tif 000003
【図３】
0003893728.tif 000004
【図４】
0003893728.tif 000005
【図５】
0003893728.tif 000006
【図６】
0003893728.tif 000007
【図７】
0003893728.tif 000008
【図８】
0003893728.tif 000009
【図９】
0003893728.tif 000010